(57)【要約】【課題】防水性を確保しつつ薄くすることが可能であり、しかも生産性の向上も可能な携帯時計を提供することにある。【解決手段】胴部に一体に作られた裏蓋部７の電池出し入れ口１１の外周に、環状の第１、第２のパッキン受け面１２，１３を設ける。第１パッキン受け面１２を円錐台の周面と同じ形状とし、第２パッキン受け面１３を電池出し入れ口１１の奥側で第１パッキン受け面１２に鋭角に連続させる。電池出し入れ口１１を開閉する電池蓋２１の電池出し入れ口１１に挿入される挿入部２３の外周に、弾性を有する環状のパッキン２６を取付ける。パッキン２６を挿入部２３の外周と両パッキン受け面１２，１３との間に圧縮状態に挟んで両パッキン受け面１２，１３に密接させるとともに、このパッキン２６を介して電池出し入れ口１１に電池蓋２１を液密に取付けたことを特徴としている。【選択図】　　図２
2004101287.tif 000002
【特許請求の範囲】
【請求項１】
扁平形電池が出し入れされる電池出し入れ口を有した裏蓋部が胴部に一体に作られているとともに、前記電池出し入れ口を開閉する電池蓋が前記裏蓋部に液密に取付けられた携帯時計において、
前記電池出し入れ口の内周に、円錐台の周面と同じ形状をなす環状の第１パッキン受け面と、前記電池出し入れ口の奥側で前記第１パッキン受け面に鋭角に連続する環状の第２パッキン受け面を設け、
弾性を有する環状のパッキンを前記電池出し入れ口に挿入される前記電池蓋の挿入部の外周に取付け、前記挿入部の外周と前記両パッキン受け面との間に前記パッキンを圧縮状態に挟むとともに、このパッキンを介して前記電池出し入れ口に前記電池蓋を液密に取付けたことを特徴とする携帯時計。
【請求項２】
扁平形電池が出し入れされる電池出し入れ口を有した裏蓋部が胴部に一体に作られているとともに、前記電池出し入れ口を開閉する電池蓋が前記裏蓋部に液密に取付けられた携帯時計において、
前記電池蓋が、前記電池出し入れ口の縁部を外側から覆うフランジと、前記電池出し入れ口に挿入される挿入部とを備え、この挿入部の周面を、円錐台の周面と同じ形状をなして前記フランジに向けて径が小さくなる環状の第１パッキン受け面とするとともに、前記フランジの裏面を前記第１パッキン受け面に鋭角に連続する環状の第２パッキン受け面とし、
弾性を有する環状のパッキンを前記電池出し入れ口の内周にこの出し入れ口の内方に突出させて取付け、前記電池出し入れ口の内周と前記両パッキン受け面との間に前記パッキンを圧縮状態に挟むととともに、このパッキンを介して前記電池出し入れ口に前記電池蓋を液密に取付けたことを特徴とする携帯時計。
【請求項３】
請求項１又は２に記載の携帯時計において、前記電池蓋が取付けられた状態で前記挿入部の外周と前記電池出し入れ口の内周との間に形成される最小間隙が、前記電池蓋の取付けに伴って前記第１パッキン受け面で押圧変形される前記パッキンの締め代より大きい。
【請求項４】
請求項１から３の内のいずれか１項に記載の携帯時計において、前記挿入部の外周又は前記電池出し入れ口の内周に、パッキン取付け凹部及びこの凹部に隣接するパッキン取付け凸部を形成し、前記パッキンに、溝及びこの溝を区画する一対の取付け脚部を形成し、前記溝を前記パッキン取付け凸部に被嵌するとともに、前記両取付け脚部の内の一方を前記パッキン取付け凹部に密に挿入させて、前記パッキンが前記挿入部の外周又は前記電池出し入れ口の内周に取付けられている。
【請求項５】
請求項１、３、４の内のいずれか１項に記載の携帯時計において、前記電池蓋が前記電池出し入れ口の縁部を外側から覆うフランジを備えている。
【発明の詳細な説明】
【０００１】
【発明の属する技術分野】
本発明は、腕時計などの携帯時計に係り、特に電池蓋の取付け構造を改良した携帯時計に関する。
【０００２】
【従来の技術】
例えば腕時計の中には、裏蓋部が胴部に一体に作られている時計外装主部を備えたものがある。この種の腕時計は、時計ムーブメントを時計外装主部の表側から組込むので、表示面積を大きくできる等の点で優れている。
【０００３】
この種の腕時計では、裏蓋部に扁平形電池が出し入れされる電池出し入れ口を設けるとともに、この電池出し入れ口を開閉する電池蓋が液密に取付けられている。この液密を確保するために、ゴムなどからなるパッキンが、時計の厚み方向に沿って弾性変形した状態で裏蓋部と電池蓋との間に挟み込まれている。このようにパッキンを弾性変形させるのに、従来ではねじ込み式又バヨネット式で電池蓋が裏蓋部に取外し可能に取付けられている。
【０００４】
ねじ込み式では、電池出し入れ口の内周面に雌ねじ部を設けるとともに、電池蓋に雄ねじ部を設けている。これらを螺合することにより、電池蓋の取付けと同時にパッキンを厚み方向に弾性変形させている。
【０００５】
バヨネット式では、電池出し入れ口の縁部に複数の切欠きとこれに隣接する係合溝部を設けるとともに、電池蓋の周部に前記切欠きに対して時計の厚み方向に出し入れ可能でかつ前記係合溝部に対して周方向に出し入れ可能な係合凸部を設けている。この係合凸部を切欠きに挿入するとともに電池蓋でパッキンを厚み方向に弾性変形させた状態で、係合溝部に向けて係合凸部が入り込むように電池蓋全体を回すことにより、電池蓋が取付けられるようになっている。
【０００６】
また、従来の携帯時計は、ガスケットシールのリップは、収容部の入口部と中間部との間の容器に形成されるテーパーされた支持面上に留まる。テーパーされた支持面は、収容部の入り口に向けて角度４５度で傾斜して開いている。これによりリップは、テーパーされた第１の支持面と第２の支持面との間にはさまれる。第２の支持面、ストッパの外周面上に形成される。キャップ周面端部でリップが、リップを保持するテーパーされた支持面をそれぞれ越えて広がっており、かつ、収容部の入口部にて外側に向かって突出している。ガスケットシールの最も外側の部分を形成するリップの突出部が２つの面によって約９０度をなす。これにより、時計が水中に晒されている場合でも、リップの密閉機能を強化することができる（例えば、特許文献１参照。）。
【０００７】
【特許文献１】
特開平６−２０７９９０号公報　（第３−４頁、第１図）
【０００８】
【発明が解決しようとする課題】
前記ねじ込み式では、螺合による電池蓋の締め込み加減によってパッキンの弾性変形の程度が異なり易い。このため、電池蓋の締め込みが強過ぎると、パッキンに損傷を与えることが考えられ、又、電池蓋を締め込みが緩過ぎるとパッキンによる防水機能が充分に発揮できなくなることがある。
【０００９】
前記二通りのいずれにおいても、電池出し入れ口の内周及び電池蓋の周部に対して複雑な凹凸を形成する機械加工や成形が必要であるので、生産性がよくない。更に、前記二通りのいずれも、パッキンは防水機能のみを担っており、これとは別に電池蓋を裏蓋部に取付けるためのねじ式やバヨネット式などの取付け構造が設けられ、この取付け構造によってパッキンを厚み方向に弾性変形させている。このようにパッキンと前記取付け構造とは時計の厚み方向に積み重なるように設けられているので、防水性を確保しつつ電池蓋を裏蓋部に取付けるためには、ある程度の厚みを要することは避けられない。それにより、携帯時計全体が厚くならざるを得ず、時計の薄形化を図るには不利である。
【００１０】
本発明が解決しようとする課題は、防水性を確保しつつ薄くすることが可能であり、しかも生産性の向上も可能な携帯時計を提供することにある。
【００１１】
【課題を解決するための手段】
本発明は、扁平形電池が出し入れされる電池出し入れ口を有した裏蓋部が胴部に一体に作られているとともに、電池出し入れ口を開閉する電池蓋が裏蓋部に液密に取付けられた携帯時計を前提とする。
【００１２】
前記課題を解決するために、本発明では、電池出し入れ口の内周に環状の第１、第２のパッキン受け面を設け、第１パッキン受け面を円錐台の周面と同じ形状とし、第２パッキン受け面を電池出し入れ口の奥側で第１パッキン受け面に鋭角に連続させる。更に、電池出し入れ口に挿入される電池蓋の挿入部の外周に、弾性を有する環状のパッキンを取付ける。そして、挿入部の外周と第１、第２のパッキン受け面との間に圧縮状態に挟んだ前記パッキンを介して電池出し入れ口に電池蓋を液密に取付けたことを特徴としている。
【００１３】
本発明及び以下の発明では、胴部及び裏蓋部、並びに電池蓋は、金属、合成樹脂、又はこれらの複合材などで形成できるとともに、パッキンには、弾性を有する材料例えば合成ゴムやフッ素ゴムなどのゴム系材料を好適に採用できる。本発明及び以下の発明では、パッキンの取付け状態を安定させるために、接着剤を必要により用いることは妨げないとともに、パッキンの半径方向の断面形状は以下の各実施形態で示す形状に制約されず、種々の変形が可能であるが、第１パッキン受け面に接する部分を、第１パッキン受け面に向けて先細に形成することは、必要な締め代を容易に得られる点で望ましい。又、本発明及び以下の発明では、電池蓋の開閉の操作性を高めるために、この電池蓋に開閉操作用の引掛け部を設けることも妨げない。
【００１４】
本発明においては、パッキンが装着された電池蓋を電池出し入れ口に挿入することに伴い、パッキンが圧縮するように弾性変形して第１、第２のパッキン受け面に密接されるので、このパッキンにより電池出し入れ口と電池蓋との間の液密を確保できる。第１パッキン受け面が、裏蓋部の外側に向けて第２パッキン受け面から遠ざかるに従い電池出し入れ口の口径を次第に狭める円錐台面で作られているので、この第１パッキン受け面等へのパッキンの密接により、電池蓋が外れ止めされる。又、以上のように取付けられている電池蓋は、この蓋に取付けられているパッキンの一部を更に弾性変形させるように径方向片側に寄せてから、この電池蓋を外側に起こすことにより、電池出し入れ口から取外すことができる。
【００１５】
又、前記課題を解決するために、本発明では、電池蓋に、環状の第１パッキン受け面及び第２パッキン受け面を設ける。第１パッキン受け面を、円錐台の周面と同形状をなし、かつ、電池出し入れ口に挿入される電池蓋の挿入部の周面で形成し、この受け面を、電池出し入れ口の縁部を外側から覆う電池蓋のフランジに向けて径が小さくなるようにする。第２パッキン受け面を、第１パッキン受け面に鋭角に連続するフランジの裏面で形成する。更に、弾性を有する環状のパッキンを電池出し入れ口の内周にこの出し入れ口の内方に突出させて取付ける。そして、電池出し入れ口の内周と第１、第２のパッキン受け面との間に圧縮状態に挟んだ前記パッキンを介して電池出し入れ口に電池蓋を液密に取付けたことを特徴としている。
【００１６】
本発明においては、パッキンが装着された電池出し入れ口に電池蓋の挿入部を挿入することに伴い、パッキンが圧縮するように弾性変形して第１、第２のパッキン受け面に密接されるので、このパッキンにより電池出し入れ口と電池蓋との間の液密を確保できる。第１パッキン受け面が裏蓋部の内側に向けて第２パッキン受け面から遠ざかるに従い径が大きくなる円錐台面で作られているので、この第１パッキン受け面等へのパッキンの密接により、電池蓋が外れ止めされる。又、以上のように取付けられている電池蓋は、電池出し入れ口に取付けられているパッキンの一部を更に弾性変形させるように径方向片側に寄せてから、この電池蓋を外側に起こすことにより、電池出し入れ口から取外すことができる。
【００１７】
本発明の好ましい形態では、電池蓋の取付けに伴って第１パッキン受け面で押圧変形されるパッキンの締め代より、電池蓋が取付けられた状態で挿入部の外周と電池出し入れ口の内周との間に形成される最小間隙を大きくしている。
【００１８】
この形態では、装着状態の電池蓋をその半径方向に片寄せする場合に、この片寄せ方向のパッキン部分を締め代相当分以上に弾性変形させることが可能であり、電池蓋の取外しを実現できる。
【００１９】
本発明の好ましい形態では、挿入部の外周又は電池出し入れ口の内周に、パッキン取付け凹部及びこの凹部に隣接するパッキン取付け凸部を形成し、パッキンに、溝及びこの溝を区画する一対の取付け脚部を形成している。そして、溝をパッキン取付け凸部に被嵌するとともに、両取付け脚部の内の一方をパッキン取付け凹部に密に挿入させることにより、パッキンを挿入部の外周又は電池出し入れ口の内周に取付けている。
【００２０】
この形態では、電池蓋を取外す際にパッキンは第１パッキン受け面により挿入部又は電池出し入れ口から外されようとする力を受ける。しかし、取付け凸部への溝の被嵌と、一方の取付け脚部のパッキン取付け凹部への密なる挿入とによって、前記外し力に抗してパッキンが外されることを防止できる。
【００２１】
本発明の好ましい形態では、電池出し入れ口の縁部を外側から覆うフランジを電池蓋が備えている。
【００２２】
この形態では、裏蓋部と電池蓋との間に密に挟まれたパッキンが、外部から視認されることをフランジが妨げるとともに、水にパッキンが晒されることもこのフランジで抑制できる。
【００２３】
【発明の実施の形態】
以下、図１〜図３を参照して本発明の第１実施形態を説明する。
【００２４】
図１中符号１は携帯時計として例えば腕時計を示しており、この腕時計１は、時計外装組立内に、時計ムーブメント（図示しない）及びその駆動電源としての扁平形電池２（図２及び図３参照）を収容している。扁平形電池２は、円形状をなして、ぼたん形電池とも通称されているものであって、以下単に電池２と略称する。この電池２は後述の構成によって交換可能である。
【００２５】
時計外装組立は、表面が開口された時計外装主部５と、前記表面の開口を塞いで時計外装主部５に接着剤を介して固定されたカバーガラス（図示しない）とを備えている。時計ムーブメントや文字板等は、カバーガラスの接着前に前記表面の開口を通して時計外装主部５に組み込まれる。時計外装主部５は、例えば金属製であり、枠状例えば円形状をなす胴部６と、これに一体に作られた裏蓋部７とを有してなるワンピース構造となっている。なお、図１中符号８は時計ムーブメントの巻真に接続された竜頭を示している。
【００２６】
裏蓋部７には電池２を出し入れするための円形の電池出し入れ口１１が開口されている。この出し入れ口１１は、いずれも機械加工によって環状に形成された第１、第２のパッキン受け面１２、１３、及び導入面１４とで区画されている。
【００２７】
図２及び図３に示すように第１パッキン受け面１２は、円錐台の周面と同じ形状をなす環状をなし、時計外装主部５の内側から外側に向かうに従って、言い換えれば、第２パッキン受け面１３から導入面１４に向かうに従って電池出し入れ口１１の口径を次第に狭めるように傾斜して設けられている。
【００２８】
第２パッキン受け面１３は電池２の出し入れ方向（図２及び図３中矢印Ｘ，Ｙ方向参照）に対して直角に交差する平面からなる。この第２パッキン受け面１２は、電池出し入れ口１１の奥側、言い換えれば、導入面１４とは第１パッキン受け面１２を挟んで反対側に位置して、第１パッキン受け面１２に鋭角に連続して設けられている。
【００２９】
以上のように第１、第２のパッキン受け面１２、１３はいずれもねじ溝や切欠き等の凹凸がない単純な円錐台面又は平面で作られている。そのため、これら受け面１２、１３を作るための機械加工は容易であり、それに伴い生産性を向上できる。
【００３０】
図２及び図３に示すように第２パッキン受け面１３に対して直角に交差する線分Ａに対して第１パッキン受け面１２の延長線Ｂとがなす角度、つまり、第１パッキン受け面１２の傾斜角度Θは５°〜２０°に設定するとよい。特に、後述の電池蓋２１を取付ける際の挿入抵抗が比較的小さいにも拘らず、電池蓋２１の装着完了状態での防水性及び電池蓋２１の安定した保持性能を得るために、前記傾斜角度を１０°とすることは好ましい。
【００３１】
導入面１４は、電池出し入れ口１１の入口端を形成するものであって、第１パッキン受け面１２とは逆方向に傾けられたテーパ面で形成されている。この導入面１４を設けることは、次に説明する電池蓋２１の挿入をガイドして蓋２１の取付け性を向上できるとともに、後述の引掛け部２２に対し前記入口端をより大きく離れさせて引掛け部２２の操作性を容易にできる点で好ましい。しかし、この導入面１４は省略することもできる。
【００３２】
裏蓋部７には電池出し入れ口１１を開閉する電池蓋２１が取外し可能に取付けられている。電池蓋２１は、例えば金属製で、電池出し入れ口１１より一回り小さい円形に形成されている。図２及び図３に示すように電池蓋２１の外周にはＶ溝からなる開閉操作用の引掛け部２２が環状に設けられ、この引掛け部２２を境に裏面側部分は電池出し入れ口１１に挿入される挿入部２３をなしている。挿入部２３の外径は、第２パッキン受け面１３の最小径より大きい。
【００３３】
挿入部２３の外周には、環状をなすパッキン取付け凹部２４が形成されているとともに、この凹部２４に対して相対的に凸部とみなされる環状のパッキン取付け凸部２５が設けられている。
【００３４】
挿入部２３の外周には弾性を有する環状のゴム製パッキン２６が取付けられている。パッキン２６はその外周端に向けて先細状に形成されている。パッキン２６の内周部は、その内周面に開放する環状の溝２７、及びこの溝２７を区画する一対の環状の取付け脚部２８、２９で形成されている。パッキン２６の自由状態で、環状溝２７の底面を通る溝底直径は、パッキン取付け凸部２５の直径より小さい。
【００３５】
パッキン２６は、やや拡径するように弾性変形させた状態で溝２７をパッキン取付け凸部２５に被嵌するとともに、一方の取付け脚部２８をパッキン取付け凹部２４に密に挿入することによって、挿入部２３の外周に巻き付くように装着されている。このように取付けられたパッキン２６は、自らの弾性力を利用して挿入部２３に保持されているので、殊更にパッキン２６を挿入部２３に接着剤で固定する手間を要しない。
【００３６】
自由状態でのパッキン２６の挿入部２３の外周面からの突出寸法Ｃは、電池蓋２１が電池出し入れ口１１を閉じた状態での、挿入部２３の外周面と電池出し入れ口１１の内周をなした第１パッキン受け面１２との間の隙間よりも大きく設定されている。更に、裏蓋部７に電池蓋２１が装着された状態でのパッキン２６の圧縮寸法、つまり、第１パッキン受け面１２で押圧変形されたパッキン２６の締め代は、図２中符号Ｄで示されている。更に、図２中符号Ｅは、裏蓋部７に電池蓋２１が装着された状態で挿入部２３の外周と電池出し入れ口１１の内周との間に形成される最小間隙を示しており、この間隙Ｅは締め代Ｄより大きく設定されている。
【００３７】
以上の構成を備える腕時計で、電池２の交換の際などに電池蓋２１を着脱する手順を説明する。まず、電池蓋２１を装着するには、パッキン２６が取付けられた挿入部２３を先頭にして電池蓋２１を電池出し入れ口１１に挿入すればよい。
【００３８】
この挿入に伴い、パッキン２６の主として先細の外向き先端側部分が弾性変形（図２中２点鎖線は変形する前の前記先端側部分を示している。）して、圧縮状態となったパッキン２６が、電池出し入れ口１１の内周に設けられた第１、第２のパッキン受け面１２、１３に夫々密接される。電池蓋２１の挿入完了は、パッキン２６の取付け脚部２９が第２パッキン受け面１３に当たって行き止りになることから知覚できる。以上のように電池蓋２１の取付けは、電池蓋２１を回す等の面倒がなく、単に、パッキン２６の弾性変形に抗しながら電池出し入れ口１１に押し込むだけで簡単に行える。
【００３９】
電池蓋２１の取付け完了の状態を図２に示す。この状態では、傾斜している第１パッキン受け面１２から受ける力で、パッキン２６の取付け脚部２９が第２パッキン受け面１３に強く押付けられる。こうした第１、第２のパッキン受け面１２、１３への強い密接により、電池出し入れ口１１と電池蓋２１との間の液密を確保できる。この状態では、パッキン２６の全周での締め代Ｄにより、電池蓋２１はその中心が電池出し入れ口１１の孔中心と一致するように保持されるとともに、電池出し入れ口１１の内周と挿入部２３の外周との間に締め代Ｄより大きい最小間隙Ｅが形成される。
【００４０】
以上の電池蓋２１の取付け状態においては、裏蓋部７の外側に向けて第２パッキン受け面１３から遠ざかるに従い電池出し入れ口１１の口径を次第に狭める円錐台面からなる第１パッキン受け面１２に、パッキン２６が強く密接しているので、電池蓋２１が外れ止めされるとともに、第１、第２のパッキン受け面１２、１３へのパッキン２６の密接状態を保持できる。
【００４１】
次に、装着されている電池蓋２１を取外す手順を説明する。まず、コイン又は工具３０（図３参照）或いは指先などを、裏蓋部７の外に露出している引掛け部２２に引掛けて、パッキン２６の一部を更に弾性変形させるように電池蓋２６をその径方向片側に押圧して寄せる。この寄せ方向を例えば図２中矢印Ｆで示す。それにより、図３に示すように寄せ方向と反対側ではパッキン２６が第１パッキン受け面１２から離れるようになる。これは、前記締め代Ｄと最小間隙Ｅとが、Ｄ＜Ｅの関係にあることにより実現できる。
【００４２】
この後、電池蓋２１を裏蓋部７の外側にめくるように起こすことにより、パッキン２６の弾性変形を伴って電池出し入れ口１１から電池蓋２１を取外すことができる。この場合にも、電池蓋２１を回すことなく簡単に作業ができる。こうして電池蓋２１が外された状態で電池２の交換などが行われる。
【００４３】
ところで、既述のように電池蓋２１が外側に起こされる際には、パッキン２６は挿入部２３から外されようとする力を受ける。しかし、パッキン２６の一方の取付け脚部２８が挿入部２３のパッキン取付け凹部２４に密に挿入されているので、この部分での引っ掛かりによって、パッキン２６が挿入部２３から不用意に外されることは防止される。
【００４４】
以上のように電池蓋２１を着脱できる前記構成の腕時計１では、裏蓋部７の電池出し入れ口１１と、この出し入れ口１１を開閉する電池蓋２１との間の防水を担うパッキン２６を利用して電池蓋２１を裏蓋部７に取付けている。このため、電池出し入れ口１１と電池蓋２１との間の防水性を確保するパッキン２６の配置スペースの他に、このパッキン２６を厚み方向に圧縮しつつ電池蓋２１を裏蓋部７に機械的に取付けるためのねじ構造やバヨネット構造を要することがない。したがって、電池蓋２１の取付けに要する構造の厚みを薄くでき、それに応じて腕時計１を薄くすることが可能である。
【００４５】
以下、本発明の第２、第３の実施形態を説明する。これらの実施形態は基本的には第１実施形態と同じ構成であるので、同じ構成について第１実施形態と同じ符号を付して、その構成および作用の説明を省略し、以下異なる部分について説明する。
【００４６】
図４に示す第２実施形態では、電池蓋２１がその外周に一体に張り出すフランジ３１を備えている。このフランジ３１は、周方向に連続して形成され、電池蓋２１の時計外装主部５への装着状態では裏蓋部７の外面、詳しくは電池出し入れ口１１の縁部外面に重なる大きさである。このため、フランジ３１はパッキン２６を覆い隠すようになっている。更に、フランジ３１の先端部は、裏蓋部７の外面と対向するテーパ面３１ａを有した引掛け部３２を形成している。
【００４７】
以上説明した点以外の構成は第１実施形態と同じである。従って、この第２実施形態でも第１実施形態と同じように本発明の課題を解決できる。しかも、電池蓋２１が備えるフランジ３１が、電池出し入れ口１１の内周と電池蓋２１との間に密に挟まれたパッキン２６の外部からの視認を妨げるので、時計外装主部５の裏面の体裁がよい。その上、フランジ３１により、電池出し入れ口１１の内周と電池蓋２１との間にごみが詰まったり、パッキン２６が水に晒されることを抑制できる等の点で優れている。
【００４８】
図５及び図６に示す第３実施形態では、パッキン２６を電池出し入れ口１１の内周に取付けている。このために、前記内周にいずれも環状のパッキン取付け凹部２４及びパッキン取付け凸部２５とともに、脚部収容溝３５が設けられている。パッキン取付け凹部２４はパッキン取付け凸部２５より奥側に隣接し、脚部収容溝３５はパッキン取付け凸部２５より手前側（裏蓋部７の外面側）に隣接している。パッキン２６は、その溝２７をパッキン取付け凸部２５に被嵌させるとともに、一方の取付け脚部２８をパッキン取付け凹部２４に密に挿入し、かつ、他方の取付け脚部２９を脚部収容溝３５に収容して、電池出し入れ口１１の内周に取付けられている。
【００４９】
この取付け状態で、パッキン２６の先細状をなす内周側部分は、電池出し入れ口１１の内方に突出されている。脚部収容溝３５に収容された取付け脚部２９は、裏蓋部７の外面と面一若しくは裏蓋部７の外面から若干突出されている。この実施形態ではパッキン２６を電池出し入れ口１１の内周に接着剤で接着するとよい。
【００５０】
前記パッキン２６の配置換えに対応して、電池蓋２１に、挿入部２３の外周からなる環状の第１パッキン受け面１２を設けるとともに、電池蓋２１に設けたフランジ３１に環状の第２パッキン受け面１３を設けている。第１パッキン受け面１２は、挿入部２３の外周を、フランジ３１に向けて径が小さくなる円錐台の周面と同じ形状として形成されている。第２パッキン受け面１３はフランジ３１の裏面で形成されている。この受け面１３は、第１パッキン受け面１２に鋭角に連続している。第１、第２のパッキン受け面１２、１３はいずれもねじ溝や切欠き等の凹凸がない単純な円錐台面又は平面で作られている。そのため、これら受け面１２、１３を作るための機械加工は容易であり、それに伴い生産性を向上できる。
【００５１】
周方向に連続しているフランジ３１は電池蓋２１の外周に一体に張り出して形成され、電池蓋２１の時計外装主部５への装着状態では裏蓋部７の外面、詳しくは電池出し入れ口１１の縁部外面に重なる大きさである。このため、フランジ３１はパッキン２６を覆い隠すようになっている。更に、電池蓋２１の例えば中央部にはすり割溝からなる引掛け部２２が設けられ、この引掛け部２２にはコインや工具３０（図６参照）を挿脱可能である。以上説明した点以外の構成は第１実施形態と同じである。
【００５２】
以上の構成を備える第３実施形態の腕時計で、電池２の交換の際などに電池蓋２１を着脱する手順を説明する。まず、電池蓋２１を装着するには、パッキン２６が取付けられた電池出し入れ口１１に対して挿入部２３を先頭にして電池蓋２１を挿入すればよい。
【００５３】
この挿入に伴い、パッキン２６の主として先細の内向き先端側部分が弾性変形（図５中２点鎖線は変形する前の前記先端側部分を示している。）して、圧縮状態となったパッキン２６が、挿入部２３の第１、第２のパッキン受け面１２、１３に夫々密接される。電池蓋２１の挿入完了は、パッキン２６の取付け脚部２９に第２パッキン受け面１３が当たって行き止りになることから知覚できる。以上のように電池蓋２１の取付けは、電池蓋２１を回す等の面倒がなく、単に、パッキン２６の弾性変形に抗しながら電池出し入れ口１１に押し込むだけで簡単に行える。
【００５４】
電池蓋２１の取付け完了の状態を図５に示す。この状態では、パッキン２６の取付け脚部２９が、傾斜している第１パッキン受け面１２から受ける力で第２パッキン受け面１３に強く押付けられる。こうした第１、第２のパッキン受け面１２、１３への強い密接により、電池出し入れ口１１と電池蓋２１との間の液密を確保できる。この状態では、パッキン２６の全周での締め代Ｄにより、電池蓋２１はその中心が電池出し入れ口１１の孔中心と一致するように保持されるとともに、電池出し入れ口１１の内周と挿入部２３の外周との間に締め代Ｄより大きい最小間隙Ｅが形成される。
【００５５】
以上の電池蓋２１の取付け状態においては、電池２に向けて第２パッキン受け面１３から遠ざかるに従い径が次第に大きくなる円錐台面からなる第１パッキン受け面１２に、パッキン２６が強く密接しているので、電池蓋２１が外れ止めされるとともに、第１、第２のパッキン受け面１２、１３へのパッキン２６の密接状態を保持できる。
【００５６】
次に、装着されている電池蓋２１を取外す手順を説明する。まず、コイン又は工具３０（図６参照）などを、電池蓋２１の引掛け部２２に引掛けて、パッキン２６の一部を更に弾性変形させるように電池蓋２６をその径方向片側に押圧して寄せる。この寄せ方向を例えば図６中矢印Ｆで示す。それにより、図６に示すように寄せ方向と反対側でパッキン２６から第１パッキン受け面１２が離れるようになる。これは、前記締め代Ｄと最小間隙Ｅとが、Ｄ＜Ｅの関係にあることにより実現できる。
【００５７】
この後、電池蓋２１を外側にめくるように起こすことにより、パッキン２６の弾性変形を伴って電池出し入れ口１１から電池蓋２１を取外すことができる。この場合にも、電池蓋２１を回すことなく簡単に作業ができる。こうして電池蓋２１が外された状態で電池２の交換などが行われる。既述のように電池蓋２１が外側に起こされる際に、挿入部２３によってパッキン２６は電池出し入れ口１１から外されようとする力を受ける。しかし、パッキン２６の一方の取付け脚部２８が電池出し入れ口１１のパッキン取付け凹部２４に密に挿入されているので、この部分での引っ掛かりによって、パッキン２６が不用意に外されることは防止される。
【００５８】
以上のように電池蓋２１を着脱できる前記構成の腕時計では、裏蓋部７の電池出し入れ口１１と、この出し入れ口１１を開閉する電池蓋２１との間の防水を担うパッキン２６を利用して電池蓋２１を裏蓋部７に取付けている。このため、電池出し入れ口１１と電池蓋２１との間の防水性を確保するパッキン２６の配置スペースの他に、このパッキン２６を厚み方向に圧縮しつつ電池蓋２１を裏蓋部７に機械的に取付けるためのねじ構造やバヨネット構造を要することがない。したがって、電池蓋２１の取付けに要する構造の厚みを薄くでき、それに応じて腕時計を薄くすることが可能である。
【００５９】
しかも、電池蓋２１が備えるフランジ３１が、電池出し入れ口１１の内周と電池蓋２１との間に密に挟まれたパッキン２６の外部からの視認を妨げるので、時計外装主部５の裏面の体裁がよい。その上、フランジ３１により、電池出し入れ口１１の内周と電池蓋２１との間にごみが詰まったり、パッキン２６が水に晒されることを抑制できる等の点で優れている。
【００６０】
本発明は前記各実施形態には制約されない。例えば、電池蓋の少なくとも一部が時計の外部に露出する合成樹脂で形成されている場合には、この合成樹脂に指先でつまめる引掛け部を一体に形成して、格別にコインや工具などを用いないで電池蓋の取り外しができるように構成することが可能である。
【００６１】
【発明の効果】
本発明によれば、裏蓋部の電池出し入れ口と、この口を開閉する電池蓋との間の防水を担うパッキンを利用して電池蓋を裏蓋部に取付けたので、パッキンの配置スペースの他に電池蓋を裏蓋部に取付けるためのねじ構造やバヨネット構造を要しない。したがって、防水性を確保しつつ薄くすることが可能である。しかも、第１、第２のパッキン受け面は、凹凸がない単純な面であるので、これらの面の機械加工や成形はねじ構造やバヨネット構造を作る場合に比較して簡単であり、したがって、生産性も向上可能な携帯時計を提供できる。
【００６２】
挿入部外周と電池出し入れ口内周との間の最小間隔とパッキンの締め代とについて規定した発明によれば、装着されている電池蓋をその半径方向に片寄せてから起こして取外せる携帯時計を提供できる。
【００６３】
パッキンの溝をパッキン取付け凸部に被嵌するとともに、パッキンが備える一対の取付け部の内の一方をパッキン取付け凹部に挿入させてパッキンを取付けるようにした発明によれば、パッキン取付け凸部への溝の被嵌と、一方の取付け脚部のパッキン取付け凹部への密なる挿入とによって、電池蓋が取外されるに伴ってパッキンが外されることを防止可能な携帯時計を提供できる。
【００６４】
電池出し入れ口を覆うフランジを備えた発明によれば、裏蓋部と電池蓋との間に液密を担うパッキンが外部から視認されることを防止できるとともに、パッキンが水に晒されにくい携帯時計を提供できる。
【図面の簡単な説明】
【図１】本発明の第１実施形態に係る腕時計を示す裏面図。
【図２】図１のＬ２−Ｌ２線に沿って示す断面図。
【図３】電池蓋を片寄せした状態で図１のＬ２−Ｌ２線に沿って示す断面図。
【図４】本発明の第２実施形態に係る腕時計を示す前記図２相当の断面図。
【図５】本発明の第３実施形態に係る腕時計を示す前記図２相当の断面図。
【図６】図５の腕時計の電池蓋を片寄せした状態で示す前記図３相当の断面図。
【符号の説明】
１…腕時計（携帯時計）
２…扁平形電池
５…時計外装主部
６…胴部
７…裏蓋部
１１…電池出し入れ口
１２…第１パッキン受け面
１３…第２パッキン受け面
Θ…第１パッキン受け面の傾斜角度
２１…電池蓋
２３…挿入部
２４…パッキン取付け凹部
２５…パッキン取付け凸部
２７…溝
２８…取付け脚部
２９…取付け脚部
Ｄ…締め代
Ｅ…最小間隙
３１…フランジ
【図１】
2004101287.tif 000003
【図２】
2004101287.tif 000004
【図３】
2004101287.tif 000005
【図４】
2004101287.tif 000006
【図５】
2004101287.tif 000007
【図６】
2004101287.tif 000008